(57)【要約】      （修正有）【課題】  ＱＲコードシンボルや透かし埋め込み画像が埋め込まれた印刷物であっても、検査を行う作業者の作業負荷を低減させることが可能なレイアウト編集装置、コンピュータプログラム、記録媒体を提供する。【解決手段】  本発明のレイアウト編集装置は、２次元コードとして符号化されるテキスト情報である符号化基情報を受付ける符号化基情報入力手段と、前記パラメータ設定に基づいて前記符号化基情報を符号化して、編集すべき画像データとしての２次元コードシンボルを生成する２次元コードシンボル生成手段と、符号化基情報とそれによって生成された２次元コードシンボルとを対応付ける情報を生成する対応付け情報生成手段と、印刷物の紙面を構成する編集素材情報を入力し、生成しまたは読み出して、それらについて少なくとも表示態様および配置位置を指定する属性情報を設定するレイアウト手段と、を備える。【選択図】  図１
2006303801.tif 000002
【特許請求の範囲】
【請求項１】
２次元コードシンボルを生成する際のパラメータ設定を行うパラメータ設定手段と、
２次元コードとして符号化されるテキスト情報である符号化基情報を受付ける符号化基情報入力手段と、
前記パラメータ設定に基づいて前記符号化基情報を符号化して、編集すべき画像データとしての２次元コードシンボルを生成する２次元コードシンボル生成手段と、
符号化基情報とそれが符号化された２次元コードシンボルとを対応付ける情報を生成する対応付け情報生成手段と、
印刷物の紙面を構成する編集素材情報を入力し、生成しまたは読み出して、それらについて少なくとも表示態様および配置位置を指定する属性情報を設定するレイアウト手段と、
レイアウト編集結果を出力する際、作業者の選択により、２次元コードシンボルの配置位置に符号化基情報を配置したレイアウト編集データを表示・印刷出力するか、または、２次元コードシンボルの配置位置に生成された２次元コードシンボルを配置したレイアウト編集データを表示・印刷出力する確認出力手段と、
設定されたパラメータ、生成された２次元コードシンボル、符号化基情報とそれによって生成された２次元コードシンボルとを対応付ける情報およびレイアウト編集結果を記憶する記憶手段と、
を備えたことを特徴とするレイアウト編集装置。
【請求項２】
２次元コードシンボル画像を復号して、符号化基情報を得て、この符号化基情報と復号された前記２次元コードシンボル画像とを対応付ける情報を生成する２次元コード復号手段をさらに備えることを特徴とする請求項１に記載のレイアウト編集装置。
【請求項３】
前記符号化基情報とそれが符号化された２次元コードシンボルとを対応付ける情報を、編集素材の一種としてのダミー図形オブジェクトとして扱うことを特徴とする請求項１または請求項２に記載のレイアウト編集装置。
【請求項４】
前記確認出力手段は、
１）最終的に印刷される状態で表示・印刷する指定、
２）２次元コードシンボルが配置されるスペースに、対応する符号化基情報を視認可能な形態で表示・印刷する指定、
３）配置された２次元コードシンボル上に対応する符号化基情報を視認可能な形態で表示・印刷する指定、
のいずれかを作業者が選択可能とするものであることを特徴とする請求項１乃至請求項３のいずれか一項に記載のレイアウト編集装置。
【請求項５】
符号化基情報を表示・印刷出力する際、その文字数によっては、２次元コードシンボルが配置される箇所にそのコードシンボルを特定可能な情報を視認可能な形態で表示・印刷し、符号化基情報を前記特定可能な情報に対応付けて別ファイルに出力または別紙に印刷出力するものであることを特徴とする請求項４に記載のレイアウト編集装置。
【請求項６】
コンピュータに読み出されて解釈実行されることによりコンピュータを請求項１から請求項５のいずれか１項に記載のレイアウト編集装置として動作させる一連の命令を記述したコンピュータプログラム。
【請求項７】
請求項６に記載のコンピュータプログラムを記録した機械読取り可能な記録媒体。
【請求項８】
透かし埋め込み画像を生成する際のパラメータ設定を行うパラメータ設定手段と、
透かし埋め込みするテキスト情報である埋め込み基情報を受付ける埋め込み基情報入力手段と、
前記パラメータ設定に基づいて、指定された画像データに前記埋め込み基情報を不可視透かしとして埋め込んだ透かし埋め込み画像データを生成する透かし画像生成手段と、
埋め込み基情報とそれを埋め込んだ透かし埋め込み画像データとを対応付ける情報を生成する対応付け情報生成手段と、
印刷物の紙面を構成する編集素材情報を入力し、生成しまたは読み出して、それらについて少なくとも表示態様および配置位置を指定する属性情報を設定するレイアウト手段と、
レイアウト編集結果を出力する際、作業者の選択により、透かし埋め込み画像の配置位置に埋め込み基情報を配置したレイアウト編集データを表示・印刷出力するか、または、透かし埋め込み画像の配置位置に生成された透かし埋め込み画像を配置したレイアウト編集データを表示・印刷出力する確認出力手段と、
設定されたパラメータ、生成された透かし埋め込み画像データ、埋め込み基情報とそれによって生成された透かし埋め込み画像データとを対応付ける情報およびレイアウト編集結果を記憶する記憶手段と、
を備えたことを特徴とするレイアウト編集装置。
【請求項９】
透かし埋め込み画像データから埋め込み基情報を抽出して、この埋め込み基情報と元の透かし埋め込み画像データとを対応付ける情報を生成する埋め込み基情報抽出手段をさらに備えることを特徴とする請求項８に記載のレイアウト編集装置。
【請求項１０】
前記埋め込み基情報とそれが透かし埋め込みされた画像データとを対応付ける情報を、編集素材の一種としてのダミー図形オブジェクトとして扱うことを特徴とする請求項８または請求項９に記載のレイアウト編集装置。
【請求項１１】
前記確認出力手段は、
１）最終的に印刷される状態で表示・印刷する指定、
２）透かし埋め込み画像が配置されるスペースに、対応する埋め込み基情報を視認可能な形態で表示・印刷する指定、
３）配置された透かし埋め込み画像上に対応する埋め込み基情報を視認可能な形態で表示・印刷する指定、
のいずれかを作業者が選択可能とするものであることを特徴とする請求項８乃至請求項１０のいずれか一項に記載のレイアウト編集装置。
【請求項１２】
埋め込み基情報を表示・印刷出力する際、その文字数によっては、透かし埋め込み画像が配置される箇所にその画像を特定可能な情報を視認可能な形態で表示・印刷し、埋め込み基情報を前記特定可能な情報に対応付けて別ファイルに出力または別紙に印刷出力するものであることを特徴とする請求項１１に記載のレイアウト編集装置。
【請求項１３】
コンピュータに読み出されて解釈実行されることによりコンピュータを請求項８から請求項１２のいずれか１項に記載のレイアウト編集装置として動作させる一連の命令を記述したコンピュータプログラム。
【請求項１４】
請求項１３に記載のコンピュータプログラムを記録した機械読取り可能な記録媒体。
【発明の詳細な説明】
【技術分野】
【０００１】
本発明は、ＱＲコードシンボルや透かし埋め込み画像が埋め込まれた印刷物の紙面のレイアウトを編集するレイアウト編集装置等の技術分野に関する。
【背景技術】
【０００２】
近年、携帯電話機の高機能化が進み、携帯電話機でＱＲコード等の２次元バーコードや、画像に埋め込まれている透かし埋め込み画像等を読み取ることが可能になっている（特許文献１参照）。これらのＱＲコードシンボルや透かし埋め込み画像は、携帯電話機での商品の発注を簡略化するため、又は、携帯電話機のアドレス帳の登録を簡略化するために、一定の情報を埋め込んでおいたり、特定のＷｅｂサイトへ誘導するように設定されている。このため、これらのＱＲコードシンボルや透かし埋め込み画像が埋め込まれた印刷物が急速に増えている。
【特許文献１】特開２００２−３３０２８０号公報
【発明の開示】
【発明が解決しようとする課題】
【０００３】
しかしながら、ＱＲコードシンボルや透かし埋め込み画像が埋め込まれた印刷物を作成することは、通常の印刷物の作成する場合よりも人為的ミスを招きやすく、ＱＲコードシンボルや透かし埋め込み画像に適正（正確）な情報が埋め込まれているか、正確な情報を持ったＱＲコードシンボル等が正しい位置に配置されているか等を確認する作業が必要であった。そのような確認作業は、専用のＱＲコードリーダーや透かし埋め込み画像読取装置を使って、一つ一つ人手によって検査する方法で行われていたため、大量のＱＲコード等を検査する場合には、多くの機材を必要とし、その作業負荷が非常に高いという問題があった。
【０００４】
本発明は、このような問題に鑑みなされたものであり、ＱＲコードシンボルや透かし埋め込み画像が埋め込まれた印刷物であっても、検査を行う作業者の作業負荷を低減させることが可能なレイアウト編集装置、コンピュータプログラム、記録媒体を提供することを目的とする。
【課題を解決するための手段】
【０００５】
上記課題を解決するために、請求項１に記載のレイアウト編集装置は、２次元コードとして符号化されるテキスト情報である符号化基情報を受付ける符号化基情報入力手段と、前記パラメータ設定に基づいて前記符号化基情報を符号化して、編集すべき画像データとしての２次元コードシンボルを生成する２次元コードシンボル生成手段と、符号化基情報とそれが符号化された２次元コードシンボルとを対応付ける情報を生成する対応付け情報生成手段と、印刷物の紙面を構成する編集素材情報を入力し、生成しまたは読み出して、それらについて少なくとも表示態様および配置位置を指定する属性情報を設定するレイアウト手段と、レイアウト編集結果を出力する際、作業者の選択により、２次元コードシンボルの配置位置に符号化基情報を配置したレイアウト編集データを表示・印刷出力するか、または、２次元コードシンボルの配置位置に生成された２次元コードシンボルを配置したレイアウト編集データを表示・印刷出力する確認出力手段と、設定されたパラメータ、生成された２次元コードシンボル、符号化基情報とそれによって生成された２次元コードシンボルとを対応付ける情報およびレイアウト編集結果を記憶する記憶手段と、を備えたことを特徴とする。
【０００６】
請求項２に記載のレイアウト編集装置は、請求項１に記載のレイアウト編集装置において、２次元コードシンボル画像を復号して、符号化基情報を得て、この符号化基情報と復号された前記２次元コードシンボル画像とを対応付ける情報を生成する２次元コード復号手段をさらに備えることを特徴とする。
【０００７】
請求項３に記載のレイアウト編集装置は、請求項１又は請求項２に記載のレイアウト編集装置において、前記符号化基情報とそれが符号化された２次元コードシンボルとを対応付ける情報を、編集素材の一種としてのダミー図形オブジェクトとして扱うことを特徴とする。
【０００８】
請求項４に記載のレイアウト編集装置は、請求項１乃至請求項３のいずれか一項に記載のレイアウト編集装置において、前記確認出力手段は、１）最終的に印刷される状態で表示・印刷する指定、２）２次元コードシンボルが配置されるスペースに、対応する符号化基情報を視認可能な形態で表示・印刷する指定、３）配置された２次元コードシンボル上に対応する符号化基情報を視認可能な形態で表示・印刷する指定、のいずれかを作業者が選択可能とするものであることを特徴とする。
【０００９】
請求項５に記載のレイアウト編集装置は、請求項４に記載のレイアウト編集装置において、符号化基情報を表示・印刷出力する際、その文字数によっては、２次元コードシンボルが配置される箇所にそのコードシンボルを特定可能な情報を視認可能な形態で表示・印刷し、符号化基情報を前記特定可能な情報に対応付けて別ファイルに出力または別紙に印刷出力するものであることを特徴とする。
【００１０】
請求項６に記載のコンピュータプログラムは、コンピュータに読み出されて解釈実行されることによりコンピュータを請求項１から請求項５のいずれか１項に記載のレイアウト編集装置として動作させる一連の命令を記述したことを特徴とする。
【００１１】
請求項７に記載の記録媒体は、請求項６に記載のコンピュータプログラムを記録した機械読取り可能な記録媒体である。
【００１２】
上記課題を解決するために、請求項８に記載のレイアウト編集装置は、透かし埋め込み画像を生成する際のパラメータ設定を行うパラメータ設定手段と、透かし埋め込みするテキスト情報である埋め込み基情報を受付ける埋め込み基情報入力手段と、前記パラメータ設定に基づいて、指定された画像データに前記埋め込み基情報を不可視透かしとして埋め込んだ透かし埋め込み画像データを生成する透かし画像生成手段と、埋め込み基情報とそれを埋め込んだ透かし埋め込み画像データとを対応付ける情報を生成する対応付け情報生成手段と、印刷物の紙面を構成する編集素材情報を入力し、生成しまたは読み出して、それらについて少なくとも表示態様および配置位置を指定する属性情報を設定するレイアウト手段と、レイアウト編集結果を出力する際、作業者の選択により、透かし埋め込み画像の配置位置に埋め込み基情報を配置したレイアウト編集データを表示・印刷出力するか、または、透かし埋め込み画像の配置位置に生成された透かし埋め込み画像を配置したレイアウト編集データを表示・印刷出力する確認出力手段と、設定されたパラメータ、生成された透かし埋め込み画像データ、埋め込み基情報とそれによって生成された透かし埋め込み画像データとを対応付ける情報およびレイアウト編集結果を記憶する記憶手段と、を備えたことを特徴とする。
【００１３】
請求項９に記載のレイアウト編集装置は、請求項８に記載のレイアウト編集装置において、透かし埋め込み画像データから埋め込み基情報を抽出して、この埋め込み基情報と元の透かし埋め込み画像データとを対応付ける情報を生成する埋め込み基情報抽出手段をさらに備えることを特徴とする。
【００１４】
請求項１０に記載のレイアウト編集装置は、請求項８又は請求項９に記載のレイアウト編集装置において、前記埋め込み基情報とそれが透かし埋め込みされた画像データとを対応付ける情報を、編集素材の一種としてのダミー図形オブジェクトとして扱うことを特徴とする。
【００１５】
請求項１１に記載のレイアウト編集装置は、請求項８乃至請求項１０のいずれか一項に記載のレイアウト編集装置において、前記確認出力手段は、１）最終的に印刷される状態で表示・印刷する指定、２）透かし埋め込み画像が配置されるスペースに、対応する埋め込み基情報を視認可能な形態で表示・印刷する指定、３）配置された透かし埋め込み画像上に対応する埋め込み基情報を視認可能な形態で表示・印刷する指定、のいずれかを作業者が選択可能とするものであることを特徴とする。
【００１６】
請求項１２に記載のレイアウト編集装置は、請求項１１に記載のレイアウト編集装置において、埋め込み基情報を表示・印刷出力する際、その文字数によっては、透かし埋め込み画像が配置される箇所にその画像を特定可能な情報を視認可能な形態で表示・印刷し、埋め込み基情報を前記特定可能な情報に対応付けて別ファイルに出力または別紙に印刷出力するものであることを特徴とする。
【００１７】
請求項１３に記載のコンピュータプログラムは、コンピュータに読み出されて解釈実行されることによりコンピュータを請求項８から請求項１２のいずれか１項に記載のレイアウト編集装置として動作させる一連の命令を記述したことを特徴とする。
【００１８】
請求項１４に記載の記録媒体は、請求項１３に記載のコンピュータプログラムを記録した機械読取り可能な記録媒体である。
【発明の効果】
【００１９】
請求項１乃至７に記載の発明によれば、作業者の選択により、２次元コードシンボルの配置位置に符号化基情報を配置したレイアウト編集データ又は、２次元コードシンボルの配置位置に生成された２次元コードシンボルを配置したレイアウト編集データを出力可能であるため、作業工程に合わせて符号化基情報又は、２次元コードシンボルの確認作業を行うことができ、２次元コードシンボルに適正（正確）な情報が埋め込まれているか、正確な情報を持った、２次元コードシンボルが正しい位置に配置されているか等を容易に確認することができる。更に、印刷物の仕上がりイメージの確認として、２次元コードシンボルに変換した際の配置を容易に確認することができる。これにより、２次元コードシンボルの検査を行う作業者の作業負荷を低減させることができる。
【００２０】
また、請求項８乃至１４に記載の発明によれば、作業者の選択により、透かし埋め込み画像の配置位置に埋め込み基情報を配置したレイアウト編集データ又は、透かし画像の配置位置に透かし画像を配置したレイアウト編集データを出力可能であるため、作業工程に合わせて埋め込み基情報又は、透かし埋め込み画像の確認作業を行うことができ、透かし埋め込み画像に適正（正確）な情報が埋め込まれているか、正確な情報を持った透かし埋め込み画像が正しい位置に配置されているか等を容易に確認することができる。更に、印刷物の仕上がりイメージの確認として、透かし埋め込み画像に変換した際の配置を確認することができる。これにより、透かし埋め込み画像の検査を行う作業者の作業負荷を低減させることができる。
【発明を実施するための最良の形態】
【００２１】
以下、本発明の最良の実施形態を図面を用いて説明する。
【００２２】
（第１実施形態）
先ず、本発明の第１実施形態に係るレイアウト編集装置Ｓについて説明する。なお、第１実施形態では、編集すべき画像データとしてのＱＲコードシンボル（２次元コードシンボルの一例）を扱う場合を例にとって説明する。
【００２３】
〔レイアウト編集装置Ｓの構成及び機能〕
先ず、本発明の第１実施形態に係るレイアウト編集装置Ｓを構成する各部の構成及び機能について図１を用いて詳細に説明する。
【００２４】
図１は、本実施形態に係るレイアウト編集装置の概要構成例を示す図である。
【００２５】
図１に示すように、レイアウト編集装置Ｓは、入力部１１と、表示部１２と、記憶手段としての記憶部１３と、レイアウト部１４と、制御部１５と、を含んで構成されている。なお、レイアウト編集装置Ｓには、例えば、印刷物を印刷出力するためのフィルム出力装置Ｐ（または簡易色校正としての出力を得るためのカラープリンタＰ）が接続されている。
【００２６】
入力部１１は、キーボード、マウス等を備え、作業者による、ＱＲコードシンボルを生成する際のパラメータの値の入力、或いは、ＱＲコードとして符号化されるテキスト情報であるＱＲ符号化基情報（符号化基情報の一例）の入力等に用いられ、入力された情報は、レイアウト部１４に出力される。
【００２７】
表示部１２は、入力部１１から入力された情報、或いは、レイアウト部１４から出力されたレイアウト編集データ等の情報を表示する。
【００２８】
記憶部１３は、ハードディスクドライブ等を備え、印刷物の紙面を構成する編集素材情報、後述する設定されたパラメータ、生成されたＱＲコードシンボルを表す画像、ＱＲ符号化基情報とそれによって生成されたＱＲコードシンボルとを対応付ける情報（対応付け情報）及び、レイアウト編集結果（レイアウト編集データ等）が記憶される。
【００２９】
レイアウト部１４は、例えば、市販のＤＴＰ（DeskTop Publishing）編集ソフトウェア上に本発明の特徴的機能を実行するプラグインモジュールを組み込む形で実現されるもの（言い換えれば、当該プラグインモジュールが組み込まれた編集ソフトウェアに係るコンピュータプログラムがコンピュータに読み出されて解釈実行されることにより実現される）であり、パラメータ設定手段１４ａ、符号化基情報入力手段１４ｂ、対応付け情報生成手段１４ｃ、レイアウト手段１４ｄ、２次元コードシンボル生成手段（エンコード手段）１４ｅ、確認出力手段１４ｆ、及び２次元コード復号手段１４ｇとして機能するようになっている。なお、上記本発明の特徴的機能を実行するプラグインモジュール係るコンピュータプログラムは、ハードディスクドライブ装置等で構成される記憶部１３に記録され、実行時に制御部１５によって読み込まれるものである。
【００３０】
制御部１５は、コンピュータとしての汎用パソコンを構成するＣＰＵ，ＲＡＭ，ＲＯＭ、システムバス等の基本的なハードウェア及びＯＳ（オペレーティングシステム）からなり、レイアウト編集装置Ｓにおける各構成要素を制御するようになっている
ここで、図２乃至図４を用いて、レイアウト部１４における各手段１４ａ乃至１４ｇについて説明する。
【００３１】
図２は、ＱＲコードシンボルの一例を示す図であり、図３は、ＱＲ符号化基情報とそれによって生成されるＱＲコードシンボルを関係付けるダミー図形の一例を示す図であり、図４は、ダミー図形に対応付けられたＱＲ符号化基情報の一例を示す図である。
【００３２】
パラメータ設定手段１４ａは、入力部１１から入力されたパラメータの値に基づき、ＱＲコードシンボル画像を生成する際のパラメータ設定を行うようになっており、例えば、ＱＲコードの「誤り訂正レベル」、「バージョン」、「余白」、「セルサイズ」等のパラメータの設定を行う。
【００３３】
ここで、誤り訂正レベルとは、ＱＲコードシンボルの一部分が損傷した場合においてもデータを損傷することがなく、復元することができるように、損傷の度合いに応じてレベルＬ、レベルＭ、レベルＱ、レベルＨの４段階のレベルが設けられたものである。例えば、レベルＬではＱＲコードシンボルの面積の約９％、レベルＭではＱＲコードシンボルの面積の約１８％が損傷した場合においても、データを復元することができる。このレベルＬ〜レベルＨの間で任意に選択することができる。
【００３４】
バージョンとは、例えば図２に示すようなＱＲコードシンボルを構成する最小単位であるセル２２の数で決まり、ＱＲコードシンボル自体の大きさを表すものである。ＱＲコードシンボルは、これに含まれる情報量が増加することにより、セルの数が増える。例えば、バージョン１はＱＲコードシンボルが２１×２１セルであり、バージョンが１上がる毎にＱＲコードシンボルの大きさは縦横に４セルずつ付加されることになる。なお、ＱＲコードシンボルに含まれる情報量により最適なバージョンが決定されるが、任意に設定してもよい。
【００３５】
余白（マージン）とは、例えば図２の符号２３部に示すように、ＱＲコードシンボルを読み取りやすくするためのものであり、ＱＲコードシンボル画像２１には４セル以上の余白（マージン）が必要である。よって、４セル以上の数字を任意に設定することができる。
【００３６】
セルサイズとは、例えば図２に示すように、ＱＲコードシンボル画像２１を構成するセル２２（黒色の正方形の部分）の大きさである。
【００３７】
ＱＲコードシンボル画像２１の大きさは、上記誤り訂正レベル、バージョン、余白（マージン）、セルサイズ等によって変化するため、それぞれのパラメータの値を設定することによって、ＱＲコードシンボル画像２１の大きさを決定することができる。
【００３８】
符号化基情報入力手段１４ｂは、入力部１１から入力された、例えばＵＲＬ（Uniform Resource Locator）等のＱＲ符号化基情報を受付けるようになっている。
【００３９】
２次元コードシンボル生成手段１４ｅは、上記パラメータ設定に基づいてＱＲ符号化基情報を符号化（エンコード）して、例えば図２に示すようなＱＲコードシンボル画像２１を生成する。
【００４０】
対応付け情報生成手段１４ｃは、ＱＲ符号化基情報とそれが符号化されたＱＲコードシンボルとを対応付ける情報を生成する。
【００４１】
図３（ａ）に示すダミー図形内には、ＱＲコードシンボルにおける切り出しシンボル（図２の符号２４部）に類似したマーク２５が表示されており、図３（ｂ）に示すダミー図形内には、「○○○」のマーク２６が表示されている。このようなマークにより編集作業者は、容易にダミー図形とそれ以外の編集素材とを区別可能である。
【００４２】
なお、ダミー図形の形態は、これらに限定されることはなく、ＱＲ符号化基情報とこれ以外の情報とを区別することができれば、どのような形態であっても良い。
【００４３】
また、図４（ａ）に示すダミー図形上には、ＵＲＬが表示（記述）されており、これにより、編集作業者は、ダミー図形の位置にどのような文字列（この場合にはＵＲＬを表す文字列）を符号化したＱＲコードシンボルが配置されるかを容易に把握できる。ＱＲ符号化基情報が、ダミー図形上に配置して表示することができる程度の情報量である場合には、このような形態が採用される。
【００４４】
一方、ＱＲ符号化基情報が、ダミー図形上に表示することができない程度の大量の情報量である場合には、図４（ｂ）に示すように、ダミー図形上には、ＱＲ符号化基情報に対応する別の対応付け情報（例えば、「Ｐ１−１」：１頁の１番という意味）を表示し、当該対応付け情報に対して、図４（ｃ）に示すように、例えば別紙「Ｐ１−１」にＱＲ符号化基情報を対応付けておけば良い。
【００４５】
レイアウト手段１４ｄは、印刷物の紙面を構成する編集素材情報を外部から入力し、生成しまたは記憶部１３から読み出して、それらについて少なくとも表示態様および配置位置を指定する属性情報を設定するようになっている。
【００４６】
確認出力手段１４ｆは、レイアウト編集結果を出力する際、作業者の確認のため、
１）最終的に印刷される状態で表示・印刷する指定、
２）ＱＲコードシンボルが配置されるスペース（例えばダミー図形上）に、対応するＱＲ符号化基情報を視認可能な形態で表示・印刷する指定、及び、
３）配置されたＱＲコードシンボル画像上に、対応するＱＲ符号化基情報を視認可能な形態で表示・印刷する指定、
のいずれかの選択を、作業者から入力部１１を介して受け付けるようになっており、選択された指定に従って、レイアウト編集データを表示・印刷出力するようになっている。
【００４７】
例えば、レイアウト編集する上では、上記１）及び２）が少なくとも必要であり、上記１）が指定された場合には、ＱＲコードシンボルの配置位置に、生成されたＱＲコードシンボル画像を配置したレイアウト編集データを表示・印刷出力するようになっており、上記２）が指定された場合には、ＱＲコードシンボルの配置位置に、ＱＲ符号化基情報を表示したダミー図形を配置したレイアウト編集データを表示・印刷出力するようになっている。
【００４８】
ここで、「表示・印刷出力」とは、レイアウト編集データの表示出力と印刷出力との双方若しくは何れか一方により作業者が確認するための出力（作業者への提示）であり、レイアウト編集データの表示出力は、印刷出力された印刷物のレイアウトと同様のレイアウト（例えば、印刷プレビュー）で表示されることが望ましい。
【００４９】
また、確認出力手段１４ｆは、上記２）の指定により、例えばダミー図形上にＱＲ符号化基情報を表示・印刷出力する際、その文字数によっては（つまり、上述したように、ＱＲ符号化基情報が、ダミー図形上に表示することができない場合には）、ＱＲコードシンボル画像が配置される箇所にそのＱＲコードシンボルを特定可能な情報（例えば、「Ｐ１−１」等の対応付け情報）を視認可能な形態で表示・印刷し、ＱＲ符号化基情報を特定可能な情報に対応付けて別ファイルに出力または別紙に印刷出力する。
【００５０】
〔レイアウト編集装置Ｓのレイアウト部１４が扱うデータ構造〕
図５は、レイアウト編集装置Ｓのレイアウト部１４が扱うデータ構造を既存の典型的なレイアウト編集ソフト（市販ＤＴＰ編集ソフト等）が扱うデータ構造と対比させて説明する模式図である。
【００５１】
典型的なレイアウト編集ソフトが扱うデータは、一般的には紙面サイズや余白等の紙面を定義する情報を管理記録する紙面情報１００と紙面に配置するオブジェクト情報から構成されている。オブジェクト情報は全て固有のＩＤ（オブジェクトＩＤ）によって特定される。オブジェクト情報には、画像等の位置や変倍率、傾き、マスキングに関わる情報等を管理記録する画像オブジェクト情報２００、画像データの実体である画像ファイル３００、直線、曲線、長方形、円等の特定図形の種別、線幅、色等を管理記録する図形オブジェクト情報４００、文字列とその書体、文字サイズ、ピッチ、折り返し位置等の文字列の配置情報を管理記録するテキストオブジェクト情報５００等の種類がある。
【００５２】
レイアウト編集装置Ｓのレイアウト部１４もこれらの種類のデータを取り扱う。既存のＤＴＰ編集ソフトでは、ＱＲコードシンボル画像や電子透かし画像は、画像ファイル情報３００の一つの画像ファイルデータとして取り扱われるのが一般的であり、レイアウトした位置などはその画像ファイルデータに対応して生成される画像オブジェクト管理情報２００に保管される。画像ファイル３００については編集ソフトによって外部データ（画像ファイル）として扱われる場合もあれば、編集ソフトが定義する内部データとして扱われる場合もある。いずれにしても編集ソフトや拡張機能（プラグイン）から画像データを参照するために必要な情報は保持されている。
【００５３】
レイアウト編集装置Ｓのレイアウト部１４では、既存の典型的なＤＴＰ編集ソフトの機能を拡張し、新しいオブジェクトとしてダミー図形オブジェクト情報６００を定義し、既存のオブジェクトとは区別して保管できるようにする。
【００５４】
１つのダミー図形オブジェクト情報６００においては、ＩＤ，紙面上の配置位置情報のほか、符号化パラメータ、符号化文字列（ＱＲ符号化基情報）、ＱＲコードシンボル画像のＩＤ（符号化画像オブジェクトＩＤ）を属性として記録管理する。
【００５５】
また、紙面の中で共通で使用する符号化共通パラメータ情報７００も保管できるようにする。図５には、ダミー図形オブジェクト情報６００および符号化共通パラメータ情報７００を拡張されたデータ構造として破線で囲んで示している。
【００５６】
〔レイアウト部１４の構成〕
図５のデータ構造に則してレイアウト部１４を構成する各手段を改めて説明すると次のようになる。
【００５７】
パラメータ設定手段１４ａは、符号化する際に必要なパラメータを紙面内で共有するための符号化共通パラメータ情報７００を設定する。
【００５８】
符号化基情報入力手段１４ｂは、ダミー図形オブジェクトを新たに生成し、（または、選択されたダミー図形オブジェクトについて、）ダミー図形オブジェクトの符号化パラメータや符号化文字列（ＱＲ符号化基情報）等の入力、変更を行う。
【００５９】
２次元コードシンボル生成手段１４ｅは、選択されたダミー図形オブジェクトを表すダミー図形オブジェクト情報６００について、その符号化パラメータ、符号化文字列等からＱＲコードシンボル画像の画像ファイル３００を生成する。
【００６０】
対応付け情報生成手段１４ｃは、２次元コードシンボル生成手段１４ｅが生成した画像ファイル３００を編集素材として扱うための画像オブジェクト情報２００を生成し、当該画像オブジェクト情報２００に付与されるオブジェクトＩＤをＱＲコードシンボルを生成する元になったダミー図形オブジェクト情報６００の一つの属性である符号化画像オブジェクトＩＤの属性値として格納する。
【００６１】
確認出力手段１４ｆは、レイアウト部１４で編集したデータを画面表示、印刷する際に編集済みデータ中のダミー図形オブジェクトを印刷表示するか、対応する画像オブジェクト（ＱＲコードシンボル画像）を表示、印刷するか等の出力形態を選択設定し、その設定に従って編集レイアウトデータを画面表示または印刷出力する。ここでの画面表示は編集作業中の表示とは異なり印刷仕上がりを確認できる状態で画面表示することを意味する。
【００６２】
２次元コード復号手段１４ｇは、全ての画像オブジェクトを順番に復号処理を試み、復号できた画像については、対応するダミー図形オブジェクトがない場合は新たにダミー図形オブジェクトを生成し、復号された文字列や、位置、画像オブジェクトのＩＤ等を属性値として記録したダミー図形オブジェクト情報６００として記憶部１３に格納し、以後本システムで生成した符号化画像と同様な処理を可能とする。尚、対応するダミー図形オブジェクトが既に存在する場合は、属性値が上書きされる。
【００６３】
〔レイアウト部１４におけるＱＲコードシンボル生成・対応付け情報生成処理〕
レイアウト部１４の特徴的な機能である、ＱＲコードシンボルの生成と対応付け情報生成処理について図６及び図７を参照して説明する。
【００６４】
図６は、ＱＲコードシンボル生成及び対応付け情報生成処理を示すフローチャートであり、図７は、オブジェクト情報に関するデータ相関図を示す図である。
【００６５】
図６の処理において、先ず、選択されているダミー図形オブジェクトを表すダミー図形オブジェクト情報６００ａ（図７参照）から符号化パラメータが読み込まれる（ステップＳ１０１）。次いで、同じくダミー図形オブジェクト情報６００ａから符号化文字列（ＱＲ符号化基情報）が読み込まれる（ステップＳ１０２）。次いで、ＱＲコードシンボル画像が生成され（ステップＳ１０３）、当該ＱＲコードシンボル画像を新たな画像ファイル３００ａ（図７参照）として保存される（ステップＳ１０４）。
【００６６】
以上のステップＳ１０１からステップＳ１０４までの処理が２次元コードシンボル生成手段１４ｅの働きにより実行される。
【００６７】
続いて、対応付け情報生成手段１４ｃの働きにより、新しい画像オブジェクト情報２００ａが生成される（ステップＳ１１０）。次いで、このとき付与される画像オブジェクト情報２００ａのＩＤが、元の（選択されているダミー図形オブジェクトを表す）ダミー図形オブジェクト情報６００ａの符号化画像オブジェクトＩＤの値として保存（記録）される（ステップＳ１１１）。次いで、ステップＳ１０４で保存された画像ファイル３００ａの画像ファイル名が画像オブジェクト情報２００ａの１つの属性「画像ファイル名」の値として保存される（ステップＳ１１２）。次いで、元の（選択されている）ダミー図形オブジェクト情報６００ａの配置位置情報が新規に生成された画像オブジェクト情報２００ａの配置位置情報の値としてコピーされ保存される（ステップＳ１１３）。
【００６８】
この結果、図７に示されるようにダミー図形オブジェクト情報６００ａと画像オブジェクト情報２００ａを介して符号化文字列（ＱＲ符号化基情報）とＱＲコードシンボルの画像ファイル３００ａが関係付けられる。
【００６９】
以上図６のフローチャートで説明した動作は、レイアウト部１４のメニュー操作により、特定のメニューコマンドが選択されたことを検知して、編集データ中に存在するダミー図形オブジェクト全てについて一括して行うことも、あるいは、１つのダミー図形オブジェクトを選択した上で、ポップアップメニューを表示させて、その中から特定のコマンドを選択することにより個別に行うこともできるように実現できる。
【００７０】
〔レイアウト部１４における確認出力処理〕
上述した対応付け情報生成処理のステップＳ１１３により、ダミー図形オブジェクト情報６００ａに対応するダミー図形オブジェクトと、画像オブジェクト情報２００ａの実体であるＱＲコードシンボル画像は、紙面上の同じ位置に配置されていることになるので、確認出力手段１４ｆは、作業者のメニュー操作により、画像オブジェクト情報２００ａを出力せずにダミー図形オブジェクト情報６００ａだけを出力する（ダミー図形表示モード）か、その逆（ダミー図形非表示モード）か、または画像オブジェクト情報２００ａの実体であるＱＲコードシンボル画像上にダミー図形オブジェクト情報６００ａに含まれるＱＲ符号化文字列の値を視認できるように表示する（符号化文字列付シンボル画像表示モード）かのいずれかを指定するフラグを記憶部１３に保持する。レイアウト部１４の表示印刷機能は、このフラグの値をチェックして、いずれかの表示印刷モードで編集データを表示印刷する。
【００７１】
図８は、ダミー図形表示モードの場合の出力例である。属性値として設定されたＱＲ符号化基情報がダミー図形の中に表示される。図９は、ダミー図形非表示モードの場合の出力例である。画像オブジェクト情報２００の実体であるＱＲコードシンボル画像（画像ファイル３００）だけが表示される。図１０は、符号化文字列付シンボル画像表示モードの場合の出力例である。
【００７２】
〔レイアウト編集装置Ｓを用いた基本編集フロー〕
次に、図１１乃至図１６等を用いて、レイアウト編集装置Ｓを用いた基本編集フローについて説明する。
【００７３】
図１１は、レイアウト編集装置Ｓを用いて編集作業を行う場合の運用フロー図である。また、図１２乃至図１６は、図１１に示すステップＳ１１乃至ステップＳ１３おいて表示部１２に表示される編集画面例を示す図である。
【００７４】
先ず、作業者がレイアウト編集処理の開始指示を、入力部１１を操作して行うと、図１１に示す処理が開始され、作成又は編集すべき印刷物の紙面データ、当該印刷物の紙面を構成する編集素材情報等のレイアウト編集処理に必要なデータが記憶部１３から読み込まれ、図示しない編集画面が表示される。
【００７５】
そして、作業者が編集画面上における例えば「ツール」ボタンを入力部１１により指定（マウスのボタンをクリック）すると、例えば、図１２に示すようなメニュー選択画面５１がプルダウン表示される。なお、当該編集画面上には、図示しないが、編集すべき印刷物の紙面画像が表示されているものとする。
【００７６】
続いて、作業者が、メニュー選択画面５１の中から、「パラメータ設定」ボタン５２を入力部１１により指定すると、パラメータ設定メニューが呼び出され、図１３に示すようなパラメータ設定画面５３が表示される。
【００７７】
このように表示されたパラメータ設定画面５３には、上述した「誤り訂正レベル」、「バージョン」、「余白」、及び「セルサイズ」の各パラメータの値を入力するための入力欄５３ａ乃至５３ｄが設けられており、更に、「ＯＫ」ボタン５４等が設けられている。
【００７８】
そして、作業者が、入力部１１を操作して、各入力欄５３ａ乃至５３ｄに夫々のパラメータの値を入力した後、「ＯＫ」ボタン５４を指定すると、入力されたパラメータの値がパラメータ設定手段１４ａにより受付けられ、ＱＲコードシンボルを生成する際のパラメータ設定が行われる（ステップＳ１１）。
【００７９】
次いで、作業者が編集画面上における例えば「オートシェイプ」ボタンを入力部１１により指定すると、例えば、図１４に示すようなメニュー選択画面５５がプルダウン表示される。続いて、作業者が、メニュー選択画面５５の中から、「ＱＲコード」ボタン５６を入力部１１により指定すると、図１５に示すように、ＱＲコードシンボルの存在を表すダミー図形５８が例えば上記パラメータ設定に基づき決定されるＱＲコードシンボルの大きさ（サイズ）で生成され、描画（配置）される（ステップＳ１２）。
【００８０】
そして、このようなダミー図形５８は、図１５に示すように、作業者による入力部１１の操作により、ドラッグ・アンド・ドロップされ、編集すべき印刷物の紙面上における所望の位置に移動され配置される。
【００８１】
次いで、作業者が編集画面上に表示されたダミー図形を入力部１１により選択した状態で所定の操作（例えばマウスの右ボタンをクリック）を行うと、対応付け情報生成手段１４ｃにより符号化基情報入力手段１４ｂが呼び出され、図１６に示すように、ＱＲ符号化基情報を入力するためのダイアログウインドウ５９が表示される。
【００８２】
このように表示されたダイアログウインドウ５９には、ＱＲ符号化基情報の入力欄６０及び「ＯＫ」ボタン６１が設けられている。
【００８３】
そして、作業者が、入力部１１を操作して、各入力欄６０にＱＲ符号化基情報（例えば、ＵＲＬ）を入力した後、「ＯＫ」ボタン６１を指定すると、入力されたＱＲ符号化基情報は、符号化基情報入力手段１４ｂにより受付け（入力）られ（ステップＳ１３）、ダミー図形オブジェクト情報６００ａの属性値として設定され、図４（ａ）に示すように、ＱＲ符号化基情報又はその先頭の何文字かがダミー図形上に配置される。
【００８４】
以上のステップＳ１１乃至ステップＳ１３の処理は、作業者が印刷物の紙面の１回目の確認段階に至るまで繰り返し行われる。
【００８５】
そして、作業者が入力部１１を操作して、ダミー図形オブジェクトのみ表示・印刷する指定（ダミー図形表示モードの指定）を行うと、例えば図８に示すような、ＱＲコードシンボルの配置位置にＱＲ符号化基情報を配置したレイアウト編集データが表示・印刷出力される（ステップＳ１５）。
【００８６】
これにより、作業者は、ＱＲコードシンボルの配置位置およびその内容をダミー図形により容易に確認することができ（ステップＳ１８）、間違い等があれば、上記ステップＳ１１及びＳ１２に戻って同様の操作を行って校正作業を行う（ステップＳ２０）。
【００８７】
なお、ダミー図形上にＱＲ符号化基情報を表示・印刷出力する際、上述したように、その文字数によっては、ＱＲコードシンボルが配置される箇所にそのＱＲコードシンボルを特定可能な情報（例えば、「Ｐ１−１」等の対応付け情報）を視認可能な形態で表示・印刷し、ＱＲ符号化基情報を特定可能な情報に対応付けて別紙に図４（ｃ）に示すように、表示・印刷出力するようにしても良い。
【００８８】
そして、ＱＲコードシンボル画像の配置位置及びその内容に問題がなければ、作業者は、入力部１１を操作して所定のメニューコマンドを選択して、ＱＲコードシンボル生成を指示する（ステップＳ２２）。さらに、入力部１１を操作して所定のメニューコマンドを選択して、表示・印刷モードをダミー図形非表示モードに切り替え（ステップＳ２３）て、編集データを最終的に印刷される状態でカラープリンタ等の出力機に出力する（ステップＳ２４）。印刷物発注者の確認・承認が得られれば校了となる（ステップＳ２５）。
【００８９】
これにより、作業者は、印刷物の紙面の仕上がりの体裁（仕上がりイメージ）を確認することができる。また、作業者は、ここで、携帯電話機などによりＱＲコードシンボルを読み取ってデコードすることにより適正（正確）なＱＲ符号化基情報が適正な位置に配置されているかを確認することができる。
【００９０】
なお、ステップＳ１５又はステップＳ２４において表示・印刷モードを、符号化文字列付シンボル画像表示モードに切り換えて出力しても良い。この場合、図１７に示すように、ＱＲコードシンボル画像上に表示されるべきＱＲ符号化文字列を、特定可能な情報に対応付けて別紙に表示・印刷出力するようにしても良い。
【００９１】
〔他のシステムでＱＲコードシンボルを生成した場合の編集フロー〕
次に、図１８等を用いて、他のシステムでＱＲコードシンボルを生成した場合の編集フローについて説明する。
【００９２】
図１８は、他の編集レイアウトシステムでＱＲコードシンボル画像を生成し貼り付けた編集データを受け入れてレイアウト編集装置Ｓを用いて仕上げの編集作業を行う場合の運用フロー図である。
【００９３】
先ず、他の編集レイアウトシステムでＱＲコードシンボル画像を貼り付けた編集データが作成される（ステップＳ５０）。レイアウト編集装置Ｓで編集データを読み込み、作業者が入力部１１を操作して、所定のメニューコマンドを選択して、ＱＲコード復号を指示する（ステップＳ５２）。
【００９４】
次いで、レイアウト部１４の２次元コード復号手段１４ｇの働きにより、ＱＲコードシンボル画像に対応して新たにダミー図形オブジェクト情報６００ａが生成され（ステップＳ５４）、復号された文字列、元のＱＲコードシンボル画像の配置位置、ＱＲコードシンボルのＩＤ等が属性値として格納される（ステップＳ５６）。
【００９５】
次いで、作業者が入力部１１を操作してダミー図形表示モードに設定して、編集データをカラープリンタ等の出力機に出力させる（ステップＳ５８）。そして、作業者が、出力された編集データを直す必要があるかどうかをチェックし、必要があればＱＲ符号化基情報の再入力等を行い（ステップＳ５９）、再出力する。
【００９６】
一方、修正の必要がなければ、作業者が入力部１１により所定のメニューコマンドを選択して、ＱＲコードシンボル生成を指示する（再生成が必要なものだけ個別に生成させても良いし、一括して再生成させても良い。ステップＳ６２）。次いで、作業者が入力部１１により、表示・印刷モードをダミー図形非表示モードに切り換え（ステップＳ６４）て、編集データを最終的に印刷される状態でカラープリンタ等の出力機に出力させる（ステップＳ６６）。印刷物発注者の確認・承認が得られれば校了となる（ステップＳ６８）。
【００９７】
これにより、他の編集レイアウトシステムでＱＲコードシンボル画像を生成し貼り付けた編集データであっても、ＱＲコードシンボルのＱＲ符号化基情報を容易に修正することができる。
【００９８】
なお、ステップＳ５８又はステップＳ６６において表示・印刷モードを、符号化文字列付シンボル画像表示モードに切り換えて出力しても良い。
【００９９】
以上説明したように、上記第１実施形態によれば、作業工程に合わせてレイアウト編集データの確認を容易に行うことができ、印刷物の紙面の仕上がりイメージの確認として、ＱＲコードシンボルに変換した際の配置を容易に確認することができると共に、ＱＲコードシンボルに適正（正確）な情報が埋め込まれているか、正確な情報を持ったＱＲコードシンボルが適正な位置に配置されているかを容易に確認することができる。これにより、ＱＲコードシンボルの検査を行う作業者の作業負荷を低減させることができる。
【０１００】
（第２実施形態）
先ず、本発明の第２実施形態に係るレイアウト編集装置について説明する。なお、第２実施形態おいては、ＱＲコードシンボルの代わりに透かし埋め込み画像データを扱う場合を例にとって説明する。この透かし埋め込み画像データを扱う場合も、レイアウト編集装置の構成及び機能、更には動作は、第１実施形態に係るレイアウト編集装置と基本的には同様であるので、重複する説明は省略する。
【０１０１】
但し、第２実施形態に係るレイアウト編集装置のレイアウト部は、第１実施形態に係るレイアウト編集装置のレイアウト部１４における各手段１４ａ乃至１４ｇの代わりに、透かし埋め込み画像を生成する際のパラメータ設定を行うパラメータ設定手段と、透かし埋め込みするテキスト情報である埋め込み基情報（ＱＲ符号化基情報に対応）を受付ける埋め込み基情報入力手段と、埋め込み基情報とそれを埋め込んだ透かし埋め込み画像データとを対応付ける情報を生成する対応付け情報生成手段と、印刷物の紙面を構成する編集素材情報を入力し、生成しまたは読み出して、それらについて少なくとも表示態様および配置位置を指定する属性情報を設定するレイアウト手段と、上記パラメータ設定に基づいて、指定された画像データに上記埋め込み基情報を不可視透かしとして埋め込んだ透かし埋め込み画像データを生成する透かし画像生成手段と、レイアウト編集結果を出力する際、作業者の選択により、透かし埋め込み画像の配置位置に埋め込み基情報を配置したレイアウト編集データを表示・印刷出力するか、または、透かし埋め込み画像の配置位置に生成された透かし埋め込み画像を配置したレイアウト編集データを表示・印刷出力する確認出力手段と、透かし埋め込み画像データから埋め込み基情報を抽出して、この埋め込み基情報と元の透かし埋め込み画像データとを対応付ける情報を生成する埋め込み基情報抽出手段と、を備えるようになっている。
【０１０２】
また、記憶部１３には、上記設定されたパラメータ、生成された透かし埋め込み画像データ、埋め込み基情報とそれによって生成された透かし埋め込み画像データとを対応付ける情報およびレイアウト編集結果が記憶される。
【０１０３】
また、第２実施形態に係るレイアウト編集装置においても、第１実施形態と同様、埋め込み基情報とそれが透かし埋め込みされた画像データとを対応付ける情報が、編集素材の一種としてのダミー図形オブジェクトとして扱われる。
【０１０４】
また、第２実施形態におけるレイアウト編集装置のダミー図形オブジェクト情報６００においては、属性として、オブジェクトＩＤ，紙面上の配置位置情報、符号化パラメータ、埋め込み基情報（埋め込み文字列）、透かし埋め込み画像オブジェクトＩＤが含まれ、更に原画像ファイル指定（埋め込む元になる画像のファイル名（パス））が必要となるので、これについてもダミー図形オブジェクト情報６００に属性として含まれることになる。
【０１０５】
また、第２実施形態における確認出力手段は、第１実施形態と同様、
１）最終的に印刷される状態で表示・印刷する指定、
２）透かし埋め込み画像が配置されるスペースに、対応する埋め込み基情報を視認可能な形態で表示・印刷する指定、及び、
３）配置された透かし埋め込み画像上に対応する埋め込み基情報を視認可能な形態で表示・印刷する指定、
のいずれかの選択を、作業者から入力部１１を介して受け付けるようになっており、選択された指定に従って、レイアウト編集データを表示・印刷出力するようになっている。
【０１０６】
また、図１１及び図１８に示した運用フロー図も第２実施形態において適用可能である。
【０１０７】
この第２実施形態によれば、作業工程に合わせてレイアウト編集データの確認を容易に行うことができ、印刷物の紙面の仕上がりイメージの確認として、透かし埋め込み画像に変換した際の配置を容易に確認することができると共に、透かし埋め込み画像に適正（正確）な情報が埋め込まれているか、正確な情報を持った透かし埋め込み画像が適正な位置に配置されているかを容易に確認することができる。これにより、透かし埋め込み画像の検査を行う作業者の作業負荷を低減させることができる。
【図面の簡単な説明】
【０１０８】
【図１】本実施形態に係るレイアウト編集装置の概要構成例を示す図である。
【図２】ＱＲコードシンボルの一例を示す図である。
【図３】ＱＲ符号化基情報とそれによって生成されるＱＲコードシンボルを関係付けるダミー図形の一例を示す図である。
【図４】ダミー図形に対応付けられたＱＲ符号化基情報の一例を示す図である。
【図５】レイアウト編集装置Ｓのレイアウト部１４が扱うデータ構造を既存の典型的なレイアウト編集ソフトが扱うデータ構造と対比させて説明する模式図である。
【図６】ＱＲコードシンボル生成及び対応付け情報生成処理を示すフローチャートである。
【図７】オブジェクト情報に関するデータ相関図を示す図である。
【図８】ダミー図形表示モードの場合の出力例を示す図である。
【図９】ダミー図形非表示モードの場合の出力例を示す図である。
【図１０】符号化文字列付シンボル画像表示モードの場合の出力例を示す図である。
【図１１】レイアウト編集装置Ｓを用いて編集作業を行う場合の運用フロー図である。
【図１２】図１１に示すステップＳ１１乃至ステップＳ１３おいて表示部１２に表示される編集画面例を示す図である。
【図１３】図１１に示すステップＳ１１乃至ステップＳ１３おいて表示部１２に表示される編集画面例を示す図である。
【図１４】図１１に示すステップＳ１１乃至ステップＳ１３おいて表示部１２に表示される編集画面例を示す図である。
【図１５】図１１に示すステップＳ１１乃至ステップＳ１３おいて表示部１２に表示される編集画面例を示す図である。
【図１６】図１１に示すステップＳ１１乃至ステップＳ１３おいて表示部１２に表示される編集画面例を示す図である。
【図１７】符号化文字列付シンボル画像表示モードの場合の図１０とは別の出力例を示す図である。
【図１８】他の編集レイアウトシステムでＱＲコードシンボル画像を生成し貼り付けた編集データを受け入れてレイアウト編集装置Ｓを用いて仕上げの編集作業を行う場合の運用フロー図である。
【符号の説明】
【０１０９】
１１  入力部
１２  表示部
１３  記憶部
１４  レイアウト部
１４ａ  パラメータ設定手段
１４ｂ  符号化基情報入力手段
１４ｃ  対応付け情報生成手段
１４ｄ  レイアウト手段
１４ｅ  ２次元コードシンボル生成手段
１４ｆ  確認出力手段
１４ｇ  ２次元コード復号手段
１５  制御部
Ｓ  レイアウト編集装置
Ｐ  ファイル出力装置
【図１】
2006303801.tif 000003
【図２】
2006303801.tif 000004
【図３】
2006303801.tif 000005
【図４】
2006303801.tif 000006
【図５】
2006303801.tif 000007
【図６】
2006303801.tif 000008
【図７】
2006303801.tif 000009
【図８】
2006303801.tif 000010
【図９】
2006303801.tif 000011
【図１０】
2006303801.tif 000012
【図１１】
2006303801.tif 000013
【図１２】
2006303801.tif 000014
【図１３】
2006303801.tif 000015
【図１４】
2006303801.tif 000016
【図１５】
2006303801.tif 000017
【図１６】
2006303801.tif 000018
【図１７】
2006303801.tif 000019
【図１８】
2006303801.tif 000020